(57)【要約】【課題】アマチュア無線を用いたデータ通信において、インターネットを介した通信を可能とする。【解決手段】各内部ネットワーク１１に属す無線端末３３は、インターネットＩＮを介して他の内部ネットワーク１１に属す無線端末３３と通信を行える。各無線端末３３は、コールサインを有し、ＧＷ４１は、グローバルＩＰアドレスを有し、各無線端末３３と対応するＧＷ４１のグローバルＩＰアドレスとを対応付けるテーブルを備える。ＧＷ４１は、無線端末３３から、他の内部ネットワーク１１の無線端末３３宛の情報を受信すると、テーブルを参照して、宛先無線端末３３が属す内部ネットワーク１１のＧＷ４１のグローバルＩＰアドレスを宛先として、受信情報をインターネットに送信する。ＧＷ４１は、インターネットＩＮから情報を受信すると、受信した情報を、宛先コールサインで特定される端末宛に送信する。【選択図】図１
2006108823.tif 000002
【特許請求の範囲】
【請求項１】
複数の内部ネットワークがインターネットを介して接続され、各内部ネットワークに属す端末装置がインターネットを介して他の内部ネットワークに属す端末装置との間で通信を行えるように構成されたネットワークシステムであって、
各内部ネットワークは、通信ネットワークと、通信ネットワークをインターネットに接続するためのゲートウエイと、通信ネットワークに接続された端末装置と、を備え、
各端末装置は、全内部ネットワークにおいて固有の識別情報を有し、
前記ゲートウエイは、インターネットにおけるグローバルアドレスを有すると共に内部ネットワーク内の各端末装置と該端末装置が属す内部ネットワークのゲートウエイのグローバルアドレスとを対応付けて格納するアドレス管理テーブルを備え、
前記端末装置は、前記識別情報により相互に特定して前記通信ネットワークを介して通信を行い、
前記ゲートウエイは、前記通信ネットワークを介して端末装置から、外部の内部ネットワーク内の端末装置の識別情報が宛先として指定された情報を受信すると、
前記アドレス管理テーブルを参照して、宛先となる端末装置が属す内部ネットワークのゲートウエイに割り当てられているグローバルアドレスを判別して、判別したグローバルアドレスを宛先として受信した情報をインターネットに送信し、
前記ゲートウエイは、インターネットから自己宛の情報を受信すると、受信した情報を、通信ネットワークを介して該識別情報で特定される端末装置宛に前記通信ネットワークを介してデータを送信する、
ことを特徴とするネットワークシステム。
【請求項２】
前記ゲートウエイは、通信ネットワークを介して端末装置から外部の内部ネットワーク内の端末装置の識別情報を宛先とする情報を受信すると、受信した情報をカプセル化して、これに送信先の端末装置が属す内部ネットワークのゲートウエイに割り当てられているグローバルアドレスを含むヘッダを付してインターネットに送信し、インターネットから自己宛の情報を受信すると、受信した情報に付加されているヘッダを除去して、カプセル化された情報を再生し、前記通信ネットワーク上に出力する、
ことを特徴とする請求項１に記載のネットワークシステム。
【請求項３】
前記端末装置には、前記識別情報として機能するコールサインが付与されており、
前記通信ネットワークは、コールサインが割り当てられており、所定の端末装置とコールサインを用いて無線通信を行うレピータと、複数のレピータと前記ゲートウエイとを接続するネットワークと、を備え、
前記端末装置は、送信先のレピータと端末装置のコールサインと、送信元のレピータと端末装置のコールサインとを含む無線ヘッダを備える情報を送受信し、
前記レピータは無線ヘッダに含まれる送信先のレピータと送信元のレピータとの間でヘッダを含む情報を送受信する、
ことを特徴とする請求項１又は２に記載のネットワークシステム。
【請求項４】
前記端末装置は、データ処理装置を備え、各データ処理装置には、ローカルアドレスが付与されており、
前記端末装置は、送信元と送信先のローカルアドレスを含むデータに、前記無線ヘッダを付して送信し、
前記端末装置は、前記無線ヘッダが付されたデータを受信して、無線ヘッダを除去して、受信したデータに含まれている送信先のローカルアドレスからデータ処理装置を特定してしたデータを提供する、
ことを特徴とする請求項３に記載のネットワークシステム。
【請求項５】
前記内部ネットワークに新規に追加されるゲートウエイは、他の既存のゲートウエイのアドレス管理テーブルを要求し、受信したアドレス管理テーブルに基づいて、新規の識別情報を確保し、確保した識別情報に基づいてアドレス管理テーブルを更新し、更新したアドレス管理テーブルを他のゲートウエイ全てに送付し、
各ゲートウエイは、他のゲートウエイからのアドレス管理テーブルの要求に応答して自己のアドレス管理テーブルを送信し、他のゲートウエイからの更新されたアドレス管理テーブルを受信すると、既存のアドレス管理テーブルを受信したものに更新する、
ことを特徴とする請求項１乃至４のいずれか１項に記載のネットワークシステム。
【請求項６】
複数の内部ネットワークがインターネットを介して接続され、各内部ネットワークに属す端末装置がインターネットを介して他の内部ネットワークに属す端末装置との間で通信を行えるように構成されたネットワークシステムにおいて、各内部ネットワークとインターネットとを接続するためのゲートウエイであって、
前記ゲートウエイは、インターネットにおけるグローバルアドレスを有すると共に内部ネットワーク内の各端末装置と該端末装置が属す内部ネットワークのゲートウエイのグローバルアドレスとを対応付けて格納するアドレス管理テーブルを備え、
前記ゲートウエイは、
通信ネットワークを介して端末装置から外部の内部ネットワーク内の端末装置の識別情報を宛先情報とする情報を受信すると、前記アドレス管理テーブルを参照して、前記識別情報から特定される端末装置が属す内部ネットワークのゲートウエイに割り当てられているグローバルアドレスを判別して、判別したグローバルアドレスを宛先として受信した情報をインターネットに送信する外部送信手段と、
インターネットから自己宛の情報を受信すると、受信した情報を、通信ネットワークを介して該識別情報で特定される端末装置宛に前記通信ネットワークを介してデータを送信する内部送信手段と、
を備える、ことを特徴とするゲートウエイ。
【請求項７】
前記識別情報はコールサインであり、
前記外部送信手段は、他の内部ネットワーク内の無線端末を指定する送信局コールサインと相手先レピータコールサインと送り元レピータコールサインと自局コールサインとを含む無線ヘッダが付されたデータを受信すると、これをカプセル化し、これに宛先グローバルアドレスと自己のグローバルアドレスを含む通信ヘッダを付して、インターネットに送出し、
前記内部送信手段は、インターネットから自己宛の情報を受信すると、通信ヘッダを除去して、無線ヘッダが付されたデータを再生して、通信ネットワークに送出する、
ことを特徴とする請求項６に記載のゲートウエイ。
【請求項８】
前記識別情報はコールサインであり、
前記外部送信手段は、
自己を指定する相手先レピータコールサイン、送り元レピータコールサイン、送信局コールサイン、自局コールサインを含む無線ヘッダが付されたデータを受信すると、
前記無線ヘッダの相手先レピータコールサインを、送信局コールサインが指定する無線端末装置と無線通信を行うレピータのコールサインに、該無線ヘッダの送り元レピータコールサインを、送信先のゲートウエイのコールサインに書き換え、
書き換え後の無線ヘッダとデータとデータとをカプセル化し、これに宛先グローバルアドレスと自己のグローバルアドレスを含む通信ヘッダを付して、インターネットに送出する、
ことを特徴とする請求項６又は７に記載のゲートウエイ。
【請求項９】
前記アドレス管理テーブルは、無線端末装置のコールサインと該無線端末装置に接続されたデータ処理装置を特定する情報と該データ処理装置のローカルＩＰアドレスとを対応付ける情報をさらに格納し、
前記ゲートウエイは、無線端末装置のコールサインと該無線端末装置に接続されたデータ処理装置を特定する情報を含む問い合わせ要求を受信すると、該データ処理装置に付与されているローカルＩＰアドレスを前記アドレス管理テーブルから求め、要求元に送信する、
ことを特徴とする請求項６、７又は８に記載のゲートウエイ。
【請求項１０】
内部ネットワークが、無線端末装置と、該無線端末装置との間で無線通信を行うレピータと、該レピータに通信を介して接続されたゲートウエイと、を備え、複数の内部ネットワークがそれぞれゲートウエイを介してインターネットに接続され、各無線端末装置が前記レピータとゲートウエイとインターネットを介して他の内部ネットワークに属す無線端末装置との間で通信を行えるように構成されたネットワークシステム、に使用される無線端末装置であって、
無線通信手段と、
データ処理装置との間でデータを送受信するデータ通信手段と、
通信先の無線端末の識別情報を入力する入力手段と、
入力部より入力された情報に基づいて、前記データ通信手段で前記データ処理装置より受信した送信対象データに、送信先レピータコールサイン、送信元レピータコールサイン、送信局コールサイン、時局コールサインを含む無線ヘッダを付して前記無線通信手段を介して前記レピータに送信し、前記レピータから自己宛の無線ヘッダが付与されたデータを受信すると、無線ヘッダを除去し、受信データに含まれている宛先アドレスからデータ処理装置を判別して、該データ処理装置に受信したデータを提供する制御手段と、
を備え、
該制御手段は、他の内部ネットワーク内の各端末装置にデータを送信する場合には、相手先レピータのコールサインとして自内部ネットワークのゲートウエイのコールサインを指定し、送信局コールサインとして実際に通信をしたい該端末装置のコールサインを指定する、
ことを特徴とする無線端末装置。
【発明の詳細な説明】
【技術分野】
【０００１】
本発明は、無線通信を用いたデータ通信技術に関する。
【背景技術】
【０００２】
アマチュア無線を用いたデータ通信技術が特許文献１に開示されている。
この文献の図１に示すように、特許文献１に開示されたデータ通信システムにおいては、１台の無線中継局がルータを介してインターネットに接続され、他の無線中継局は、幹線ＭＬを介して接続されている。
各無線中継局には、複数台の無線端末が接続されており、無線端末にはＰＣが接続されている。
【０００３】
各無線端末は、通信フレームから無線フレームを生成してアマチュア無線により送信し、アマチュア無線で受信した無線フレーム中の相手局コールサインが自局コールサインであるときには通信フレームを再成する。
各アマチュア無線中継局は、アマチュア無線で無線フレームを受信すると、相手局コールサインが管理対象コールサインと一致するか否かを判別し、一致するときには無線フレームを破棄又はアマチュア無線により再送信し、一致しないときには無線フレームを幹線ＭＬに送信する。また、各アマチュア無線中継局は、幹線ＭＬから無線フレームを受信すると、無線へッダに含まれる相手局コールサインを自己が管理するコールサインと照合し、一致するときには無線フレームをアマチュア無線にて送信し、一致しないときには破棄又は幹線ＭＬに再送信する。
【特許文献１】特開２００３−１５２７３８号公報（図１）
【発明の開示】
【発明が解決しようとする課題】
【０００４】
特許文献１に示すシステムにおいて、インターネットに接続された無線ネットワーク（以下、内部ネットワーク；１台のルータでインターネットに接続されている通信システム）相互でインターネットを介した通信を行いたい場合がある。しかし、特許文献１には、このようなデータ通信を可能とする手法を開示していない。
【０００５】
内部ネットワーク間での相互通信を可能とするために、特許文献１のシステムに内部ネットワークを単純に追加することも考えられるが、その場合には、プライベートＩＰアドレスの管理が困難となり、ＩＰアドレスが衝突してしまう虞がある。
【０００６】
この発明は、上記実情に鑑みてなされたものであり、内部ネットワーク相互のインターネットを介した通信を可能とすることを目的とする。
また、この発明は、プライベートＩＰアドレスの管理が容易な通信システムを提供することを目的とする。
また、この発明は、アマチュア無線を用いたデータ通信の利用範囲を広くし、また、使い易いものとすることを他の目的とする。
【課題を解決するための手段】
【０００７】
上記目的を達成するため、本発明の第１の観点にかかるネットワークシステムは、
複数の内部ネットワークがインターネットを介して接続され、各内部ネットワークに属す端末装置がインターネットを介して他の内部ネットワークに属す端末装置との間で通信を行えるように構成されたネットワークシステムであって、
各内部ネットワークは、通信ネットワークと、通信ネットワークをインターネットに接続するためのゲートウエイと、通信ネットワークに接続された端末装置と、を備え、
各端末装置は、全内部ネットワークにおいて固有の識別情報（例えば、コールサイン）を有し、
前記ゲートウエイは、インターネットにおけるグローバルアドレスを有すると共に内部ネットワーク内の各端末装置と該端末装置が属す内部ネットワークのゲートウエイのグローバルアドレスとを対応付けて格納するアドレス管理テーブルを備え、
前記端末装置は、前記識別情報により相互に特定して前記通信ネットワークを介して通信を行い、
前記ゲートウエイは、前記通信ネットワークを介して端末装置から、外部の内部ネットワーク内の端末装置の識別情報が宛先として指定された情報を受信すると、
前記アドレス管理テーブルを参照して、宛先となる端末装置が属す内部ネットワークのゲートウエイに割り当てられているグローバルアドレスを判別して、判別したグローバルアドレスを宛先として受信した情報をインターネットに送信し、
前記ゲートウエイは、インターネットから自己宛の情報を受信すると、受信した情報を、通信ネットワークを介して該識別情報で特定される端末装置宛に前記通信ネットワークを介してデータを送信する、
ことを特徴とする。
【０００８】
例えば、前記ゲートウエイは、通信ネットワークを介して端末装置から外部の内部ネットワーク内の端末装置の識別情報を宛先とする情報を受信すると、受信した情報をカプセル化して、これに送信先の端末装置が属す内部ネットワークのゲートウエイに割り当てられているグローバルアドレスを含むヘッダを付してインターネットに送信し、インターネットから自己宛の情報を受信すると、受信した情報に付加されているヘッダを除去して、カプセル化された情報を再生し、前記通信ネットワーク上に出力する。
【０００９】
例えば、前記端末装置には、前記端末装置には、前記識別情報として機能するコールサインが付与されており、前記通信ネットワークは、コールサインが割り当てられており、所定の端末装置とコールサインを用いて無線通信を行うレピータと、複数のレピータと前記ゲートウエイとを接続するネットワークと、を備え、前記端末装置は、送信先のレピータと端末装置のコールサインと、送信元のレピータと端末装置のコールサインとを含む無線ヘッダを備える情報を送受信し、前記レピータは無線ヘッダに含まれる送信先のレピータと送信元のレピータとの間でヘッダを含む情報を送受信する。
【００１０】
例えば、前記端末装置は、データ処理装置を備え、各データ処理装置には、ローカルアドレスが付与されており、前記端末装置は、送信元と送信先のローカルアドレスを含むデータに、前記無線ヘッダを付して送信し、前記端末装置は、前記無線ヘッダが付されたデータを受信して、無線ヘッダを除去して、受信したデータに含まれている送信先のローカルアドレスからデータ処理装置を特定してしたデータを提供する。
【００１１】
例えば、前記内部ネットワークに新規に追加されるゲートウエイは、他の既存のゲートウエイのアドレス管理テーブルを要求し、受信したアドレス管理テーブルに基づいて、新規の識別情報を確保し、確保した識別情報に基づいてアドレス管理テーブルを更新し、更新したアドレス管理テーブルを他のゲートウエイ全てに送付し、各ゲートウエイは、他のゲートウエイからのアドレス管理テーブルの要求に応答して自己のアドレス管理テーブルを送信し、他のゲートウエイからの更新されたアドレス管理テーブルを受信すると、既存のアドレス管理テーブルを受信したものに更新する。
【００１２】
この発明の第２の観点に係るゲートウエイは、
複数の内部ネットワークがインターネットを介して接続され、各内部ネットワークに属す端末装置がインターネットを介して他の内部ネットワークに属す端末装置との間で通信を行えるように構成されたネットワークシステムにおいて、各内部ネットワークとインターネットとを接続するためのゲートウエイであって、
前記ゲートウエイは、インターネットにおけるグローバルアドレスを有すると共に内部ネットワーク内の各端末装置と該端末装置が属す内部ネットワークのゲートウエイのグローバルアドレスとを対応付けて格納するアドレス管理テーブルを備え、
前記ゲートウエイは、
通信ネットワークを介して端末装置から外部の内部ネットワーク内の端末装置の識別情報を宛先情報とする情報を受信すると、前記アドレス管理テーブルを参照して、前記識別情報から特定される端末装置が属す内部ネットワークのゲートウエイに割り当てられているグローバルアドレスを判別して、判別したグローバルアドレスを宛先として受信した情報をインターネットに送信する外部手段と、
インターネットから自己宛の情報を受信すると、受信した情報を、通信ネットワークを介して該識別情報で特定される端末装置宛に前記通信ネットワークを介してデータを送信する内部送信手段と、
を備える、ことを特徴とする。
【００１３】
例えば、前記識別情報はコールサインである。この場合に、前記外部送信手段は、例えば、他の内部ネットワーク内の無線端末を指定する送信局コールサインと相手先レピータコールサインと送り元レピータコールサインと自局コールサインとを含む無線ヘッダが付されたデータを受信すると、これをカプセル化し、これに宛先グローバルアドレスと自己のグローバルアドレスを含む通信ヘッダを付して、インターネットに送出する。また、前記内部送信手段は、インターネットから自己宛の情報を受信すると、通信ヘッダを除去して、無線ヘッダが付されたデータを再生して、通信ネットワークに送出する。
【００１４】
また、前記識別情報はコールサインである場合に、前記外部送信手段は、例えば、自己を指定する相手先レピータコールサイン、送り元レピータコールサイン、送信局コールサイン、自局コールサインを含む無線ヘッダが付されたデータを受信すると、前記無線ヘッダの相手先レピータコールサインを、送信局コールサインが指定する無線端末装置と無線通信を行うレピータのコールサインに、該無線ヘッダの送り元レピータコールサインを、送信先のゲートウエイのコールサインに書き換え、書き換え後の無線ヘッダとデータとデータとをカプセル化し、これに宛先グローバルアドレスと自己のグローバルアドレスを含む通信ヘッダを付して、インターネットに送出する。
【００１５】
例えば、前記アドレス管理テーブルは、無線端末装置のコールサインと該無線端末装置に接続されたデータ処理装置を特定する情報と該データ処理装置のローカルＩＰアドレスとを対応付ける情報をさらに格納する。この場合、前記ゲートウエイは、無線端末装置のコールサインと該無線端末装置に接続されたデータ処理装置を特定する情報を含む問い合わせ要求を受信すると、該データ処理装置に付与されているローカルＩＰアドレスを前記アドレス管理テーブルから求め、要求元に送信する。
【００１６】
また、この発明の第３の観点に係る無線端末装置は、
内部ネットワークが、無線端末装置と、該無線端末装置との間で無線通信を行うレピータと、該レピータに通信を介して接続されたゲートウエイと、を備え、複数の内部ネットワークがそれぞれゲートウエイを介してインターネットに接続され、各無線端末装置が前記レピータとゲートウエイとインターネットを介して他の内部ネットワークに属す無線端末装置との間で通信を行えるように構成されたネットワークシステム、で使用される無線端末装置であって、
無線通信手段と、
データ処理装置との間でデータを送受信するデータ通信手段と、
通信先の無線端末の識別情報を入力する入力手段と、
入力部より入力された情報に基づいて、前記データ通信手段で前記データ処理装置より受信した送信対象データに、送信先レピータコールサイン、送信元レピータコールサイン、送信局コールサイン、時局コールサインを含む無線ヘッダを付して前記無線通信手段を介して前記レピータに送信し、前記レピータから自己宛の無線ヘッダが付与されたデータを受信すると、無線ヘッダを除去し、受信データに含まれている宛先アドレスからデータ処理装置を判別して、該データ処理装置に受信したデータを提供する制御手段と、
を備え、
該制御手段は、他の内部ネットワーク内の各端末装置にデータを送信する場合には、相手先レピータのコールサインとして自内部ネットワークのゲートウエイのコールサインを指定し、送信局コールサインとして実際に通信をしたい該端末装置のコールサインを指定する、
ことを特徴とする。
【００１７】
無線機能を有するコンピュータを、上記構成のネットワークシステム、ゲートウエイサーバ、無線端末などとして動作させるためのプログラムを、記録媒体に記録して配布したり、搬送波に重畳してネットワーク上を伝送して配布したりしてもよい。このコンピュータプログラムは、コンピュータの記録媒体に記録され、インストールされる。
【発明の効果】
【００１８】
上記構成によれば、インターネットを介して内部ネットワーク間で通信が可能となる。また、識別情報の管理が容易である。
【発明を実施するための最良の形態】
【００１９】
以下、本発明の実施の形態に係るネットワークシステムを図面を参照して説明する。
【００２０】
この実施の形態のネットワークシステム１は、図１に示すように、複数のゾーンネットワーク（内部ネットワーク）１１（１１A，１１B，．．．）がインターネットＩＮに接続された構成を有する。複数のゾーンネットワーク１１は一種のイントラネットを構成する。
【００２１】
各ゾーンネットワーク１１は、それぞれ、１又は複数のエリアネットワーク２１（２１１，２１２，．．．）から構成される。
各エリアネットワーク２１は、端末系レピータ３１（３１１，３１２，３１３，３１４，．．．）と、幹線系中継器３２（３２１，３２２，３２３，３２４，．．．）と、該端末系レピータ３１に接続された複数の無線端末（装置）３３と、とから構成されている。
さらに、各ゾーンネットワーク１１（１１A，１１B，．．．）におけるいずれかのエリアネットワーク２１（２１１，２１２，．．．）の端末系レピータ３１（３１２，３１３，．．．）は、ゲートウエイ（ＧＷ)サーバ４１（４１A，４１B，．．．）を介してインターネットＩＮに接続されている。
また、同一ゾーンネットワーク１１に属す各エリアネットワーク２１の幹線系中継器３２（３２１と３２２，３２３と３２４，．．．）は幹線ＭＬを介して相互に接続されている。
【００２２】
各無線端末３３は、アマチュア無線により同一エリアネットワーク２１内の端末系レピータ３１に接続されている。各無線端末３３は、例えば、アマチュア無線帯域を使用するディジタル無線通信端末から構成される。
各無線端末３３には任意のコールサイン（地方総合通信局から割り当てられたアマチュア無線局の識別符号。）が割り当てられている。図２に示すように、１つのコールサイン（図では、ＪＡ１ＱＱＱ)には最大６台までの無線端末Ａ〜Ｆを割り振ることができ、ＪＰ１１ＱＱＡのように、最後の１文字の端末識別符号（Ａ〜Ｆのいずれか）で表現する。
【００２３】
各無線端末３３には、必要に応じて、１又は複数のＩＰデバイス３４が接続され、各ＩＰデバイス３４にはローカル（プライベート）ＩＰアドレスが割り当てられている。１つのコールサインには、最大８つのローカルＩＰアドレスが割り当てられる。従って、１台の無線端末３３に接続可能なＩＰデバイスは最大８台である。
【００２４】
例えば、音声通話専用の無線端末Ａは、単独で使用される。また、データ通信用の無線端末Ｂ〜Ｆは、ＩＰデバイス３４が接続される。ＩＰデバイス３４としては、パーソナルコンピュータ（図では記号ａで示す）、ＩＰカメラ（図では記号ｂで示す）、等の任意のデータ処理装置が利用できる。
【００２５】
無線端末３３は、同一エリアネットワーク２１の端末系レピータ３１とは、コールサインを用いたアマチュア無線通信によりパケット通信を行う、また、ＩＰデバイス３４との間でデータの送受信を行う。
【００２６】
このような機能を実現するために、無線端末３３は、図３に示すように、制御部３１１と、記憶部３１２と、補助記憶部３１３、入力部３１４と、表示部３１５と、有線通信部３１６と、無線通信部３１７と、を備える。
【００２７】
制御部３１１は、ＣＰＵ（Central Processing Unit）等から構成され、記憶部３１２に読み出したプログラムを実行し、後述する通信制御を行う。
記憶部３１２は、ＲＡＭ、ＲＯＭなどから構成され、制御部３１１の動作プログラムやデータを記憶する。
補助記憶部３１３は、ハードディスク装置等から構成され、ゾーンネットワーク１１の情報、例えば、無線端末３３や端末系レピータ３１及びＧＷサーバ４１のコールサインや接続関係などのリストや、自己のコールサイン、自己に接続されている各ＩＰデバイス３４のＩＰアドレス（ローカルアドレス）、制御部３１１の動作プログラム等を記憶する。
入力部３１４はキーボード、マウス等を備え、種々の指示や設定情報、例えば、送信先のコールサイン等を入力する。
表示部３１５は様々な情報を表示する。
有線通信部３１６は、制御部３１１の制御下に、有線回線、例えば、ＵＳＢ（Universal Serial Bus)を介してＩＰデバイス３４と通信を行う。
無線通信部３１７は、制御部３１１の制御下に、アマチュア無線により端末系レピータ３１との間で無線通信を行う。
また、図示はしないが、音声通信用に音声処理回路を備えてもよい。
【００２８】
このような構成により、無線端末３３の主に制御部３１１は、無線通信部３１７を介して端末系レピータ３１との間で無線通信を行い、有線通信部３１６によりＩＰデバイス３４との間でデータ通信を行う。そして、ＩＰデバイス３４から提供されたデータ（イーサネット（登録商標）パケット）に図７を参照して後述する無線ヘッダを付して端末系レピータ３１に送信する。また、端末系レピータ３１より自己宛であることを示す無線ヘッダが付されたデータを受信し、受信したデータの無線ヘッダを除去して、データ内部に含まれているローカルＩＰアドレスからＩＰデバイス３４を判別して、そのＩＰデバイスにデータを提供する。
【００２９】
なお、無線ヘッダは、図７に示すように、相手先（送信先）レピータコールサイン、送り元（送信元）レピータコールサイン、送信局コールサイン、時局コールサイン等の情報を含む。制御部３１１は、例えば、ユーザが入力部３１４から相手先のコールサインを指定すると、補助記憶部３１３に記憶してある情報に基づいて、相手先レピータコールサイン（指定された無線端末３３と同一エリアネットワーク２１の端末系レピータ３１）、送り元レピータコールサイン（自局が通信する端末系レピータ３１のコールサイン）、自局コールサインなどの情報を生成し、入力をアシストする。
【００３０】
また、該制御部３１１は、他のゾーンネットワーク１１内の無線端末３３にデータを送信する場合には、相手先レピータのコールサインとして自ゾーンネットワーク１１のＧＷサーバ４１のコールサインを指定し、送信局コールサインとして実際に通信をしたい無線端末３３のコールサインを設定する。
【００３１】
次に、図１に示す端末系レピータ３１の詳細について説明する。
端末系レピータ３１は、同一エリアネットワーク２１内の無線端末３３とコールサインを用いたアマチュア無線通信によりパケット通信を行う。また、同一ゾーンネットワーク１１の他のエリアネットワーク２１との通信のために幹線系中継器３２との間で無線又は有線による通信を行う。
【００３２】
また、１つのゾーンネットワーク１１に属す端末系レピータ３１のうち、１台（３１２と３１３）はそのゾーンネットワーク１１とインターネットＩＮとを接続するためのゾーンレピータとして機能する。ゾーンレピータ３１は、ＧＷサーバ４１を介してインターネットＩＮに接続され、ゾーンネットワーク１１の外部宛のパケットをＧＷサーバ４１を介してインターネットＩＮに送出し、インターネットＩＮから該ゾーンネットワーク１１へのパケットをＧＷサーバ４１を介して受信して、自エリアネットワーク２１宛ならば無線送信し、他エリアネットワーク２１宛ならば幹線系中継器３２に転送する。
【００３３】
このような機能を実現するために、端末系レピータ３１は基本構造として、無線端末３３と同様に、図３に示す、制御部３１１と、記憶部３１２と、補助記憶部３１３、入力部３１４と、表示部３１５と、有線通信部３１６と、無線通信部３１７と、を備える。
【００３４】
制御部３１１は、ＣＰＵ（Central Processing Unit）等から構成され、記憶部３１２に読み出したプログラムを実行し、後述する通信制御を行う。
記憶部３１２は、ＲＡＭ、ＲＯＭなどから構成され、制御部３１１の動作プログラムやデータを記憶する。
補助記憶部３１３は、ハードディスク装置等から構成され、各無線端末３３や幹線系中継器３２のコールサインや制御部３１１の動作プログラムを記憶する。
入力部３１４はキーボード、マウス等を備え、種々の指示や設定情報を入力する。
表示部３１５は様々な情報を表示する。
有線通信部３１６は、制御部３１１の制御下に、有線回線、例えば、イーサネット（登録商標）を介して他装置と通信を行う。
無線通信部３１７は、制御部３１１の制御下に、アマチュア無線により無線端末３３と通信を行う。
【００３５】
なお、端末系レピータ３１と無線端末３３とは、基本構造は同一であるが、そのパワー、性能等は、機器の特性に応じて適宜設定される。
【００３６】
幹線系レピータ３２は、端末系レピータ３１に接続され、同一ゾーンネットワーク１１内の他のエリアネットワーク２１の基幹系レピータ３２と双方向通信を行って、データの送受信を行う。
【００３７】
結局、端末系レピータ３１と幹線系中継器３２は、ローカルな通信ネットワーク、即ち、一種のローカル通信ネットワーク構成し、無線端末３３は、この通信ネットワークに端末系レピータ３１を介して接続し、ＧＷサーバ４１はこの通信ネットワークにイーサネット（登録商標）を介して接続される。
【００３８】
ローカルサーバ３５は、同一ゾーンネットワーク１１内の機器により様々な用途に使用される共用サーバである。
【００３９】
図１に示すＧＷサーバ４１（４１Ａ，４１Ｂ）は、インターネットＩＮと各ゾーンネットワーク１１とを接続するためのものであり、図４に示すように、ＩＰ管理サーバ４１１とルータ４１３とより構成される。ＩＰ管理サーバ４１１にもコールサインが付与されている。ＩＰ管理サーバ４１１に付与するコールサインは任意であるが、この実施の形態では、そのＩＰ管理サーバ４１が接続されている端末系レピータ３１のコールサイン（例えば、ＪＰ１１ＱＱ）の末尾に「Ｇ」を加えたもの（例えば、ＪＰ１１ＱＱＧ）とする。
【００４０】
ＩＰ管理サーバ４１１は、ゾーンネットワーク１１とインターネットＩＮとを接続するための様々な管理・制御動作を行うものであり、例えば、DNS(Domain Name Server)サーバとして機能する。ＤＮＳとしてのＩＰ管理サーバ４１１は、例えば、自己が属すゾーンネットワーク１１内のローカルＩＰアドレスの管理機能と、ドメイン名の検索業務を行うＤＮＳキャッシュサーバとしての機能とを備え、図５に示すように、制御部４２１と、記憶部４２２と、補助記憶部４２３と、入力部４２４と、表示部４２５と、有線通信部４２６とを備える。
【００４１】
制御部４２１は、ＣＰＵ（Central Processing Unit）等から構成され、記憶部４２２に読み出したプログラムを実行し、後述するＤＮＳとして動作や通信制御を行う。
記憶部４２２は、ＲＡＭ、ＲＯＭなどから構成され、制御部４２１の動作プログラムやデータを記憶する。
補助記憶部４２３は、ハードディスク装置等から構成され、図６に示すドメイン管理テーブルなどを記憶する。
入力部４２４はキーボード、マウス等を備え、種々の指示や設定情報を入力する。
表示部４２５は様々な情報を表示する。
有線通信部４２６は、制御部４２１の制御下に、有線回線、例えば、イーサネット（登録商標）を介して、レピータやルータと通信を行う。
【００４２】
補助記憶部４２３に格納されるドメイン管理テーブルは、全てのＧＷサーバ４１で共通であり、図６に例示するように、イントラネットを構成する各ゾーンネットワーク１１のＧＷサーバ４１に割り当てられているグローバルＩＰアドレスと、そのゾーンネットワーク１１のゾーンレピータ３１に割り当てられているコールサインと、エリアレピータ３１のコールサインと、ドメイン名（該エリアレピータ３１に接続されている無線端末３３の端末コールサインと機器名）、その無線端末３３に接続されているＩＰデバイス３４のＩＰアドレス（ローカルＩＰアドレス）と、備考（その他の任意の情報）とを対応付けて記憶する。
【００４３】
ＩＰ管理サーバ４１１は、このドメイン管理テーブルを参照して、各ＩＰ機器からイントラネット内の他装置のローカルアドレスの問い合わせに回答し、また、インターネットＩＮにパケットを送出し、或いは、インターネットＩＮからのパケットをゾーンネットワーク１１内に取り込む処理を行う。
ＧＷサーバ４１を構成するルータ４１３は、各ゾーンネットワーク１１（ＩＰ管理サーバ４１１）とインターネットＩＮとを接続する。
【００４４】
次に、このような構成のネットワークシステム１における通信方法について説明する。
各装置は、無線送信を行う場合には、図７に示すフォーマットのパケットを生成し、送受信する。
この無線パケットは、一般のイーサネット（登録商標）パケットをカプセル化して、無線ヘッダを付加した構成を有する。
無線ヘッダは、送信先のレピータのコールサイン、送信元のレピータのコールサイン、送信先のコールサイン、送信元のコールサイン、を含む。また、イーサネット（登録商標）パケットは、送信先のＩＰアドレス、送信元のＩＰアドレス、データなどを含む。
【００４５】
次に、このネットワークシステム１での通信の手順について説明する。
１）  ＩＰアドレスの問い合わせ
ユーザが任意のＩＰデバイス３４を使用して、他のＩＰデバイス３４との間で通信を行う場合には、通信先のＩＰデバイス３４のＩＰアドレスを知る必要がある。
ローカルＩＰアドレスを既に取得している場合には、それを使用するが、取得していない場合には、送信先のＩＰアドレスを自己が属すゾーンネットワーク１１のＧＷサーバ４１に、問い合わせる。なお、問い合わせるＩＰアドレスはグローバルＩＰアドレスでも、同一イントラネット内のローカルＩＰアドレスでも任意である。
【００４６】
この場合、ＩＰデバイス３４は、通信先のＩＰデバイス３４のＩＰアドレスを問い合わせる為に、通信先のＩＰデバイス３４のドメインを指定して、ＩＰアドレスの問い合わせパケットを生成する。通信先を特定する情報は任意であるが、同一イントラネット内（いずれかのゾーン（内部）ネットワーク１１内）の場合には、通信先のＩＰデバイス３４のドメイン名を指定する。
【００４７】
無線端末３３は、この問い合わせパケットに、無線ヘッダを付加して、自エリアネットワーク２１の端末系レピータ３１に送信する。この場合の無線ヘッダは、送信先レピータコールサインとしてＧＷサーバ４１のコールサイン（ＧＷサーバ４１のコールサインが端末系レピータ３１のコールサイン＋Ｇの場合），送信元レピータとして自己が属すエリアネットワーク２１の端末系レピータ３１のコールサイン、送信先コールサインとして通信相手の無線端末３３のコールサイン、送信元コールサインとして自己のコールサイン、を含む。
【００４８】
この問い合わせパケットは、同一エリアネットワーク２１の端末系レピータ３１により受信され、必要に応じて幹線ＭＬを介して、ＧＷサーバ４１に到達する。
ＧＷサーバ４１を構成するＩＰ管理サーバ４１１は、受信パケットに含まれているイーサネット（登録商標）パケットを取り出し、ローカルＩＰアドレスの問い合わせであることを判別すると、図８に示す処理を開始する。
まず、ＩＰ管理サーバ４１１は、問い合わせがグローバルＩＰアドレスの問い合わせであるかローカルＩＰアドレスの問い合わせであるかを判別する（ステップＳ１１）。
【００４９】
ドメイン名等からこのイントラネット内のＩＰデバイス３４のＩＰアドレスの問い合わせであることを判別した場合には（ステップＳ１１；Ｎｏ）、ローカルアドレスの問い合わせであると判別し、ドメイン管理テーブルを参照する。
ＩＰ管理サーバ４１１は、ドメイン管理テーブルに対応するデータ（ドメイン名）が登録されているか否かを判別し（ステップＳ１２）、登録されていれば、対応するローカルＩＰアドレスを読み出す（ステップＳ１３）。
【００５０】
一方、要求されたドメイン名がドメイン管理テーブルに登録されていなければ、データが存在しないことを示すデータを生成する（ステップＳ１４）。
一方、ステップＳ１１で、グローバルＩＰアドレスの問い合わせであると判別した場合、例えば、一般的なＵＲＬに対応するＩＰアドレスの問い合わせである場合には（ステップＳ１１；Ｙｅｓ）、インターネットＩＮ上の上位装置に問い合わせてグローバルＩＰアドレスを取得する（ステップＳ１５）。
【００５１】
ＩＰ管理サーバ４１１は、このようにして取得したＩＰアドレス（ローカル又はグローバル）、又は、データ無し情報を含む返信パケットを生成し、要求元のＩＰデバイスに送信する（ステップＳ１６）。
要求元のＩＰデバイスは３４は、この返信パケットを受信し、通信先のＩＰアドレスを取得する。
【００５２】
２）  ＩＰアドレスを用いた通信
次に、ＩＰデバイス３４は、このようにして取得したＩＰアドレス又は以前に取得しておいたＩＰアドレスを通信先アドレスに指定して、さらに、自己のＩＰアドレスを送信元のアドレスとして指定してイーサネット（登録商標）パケットを生成し、無線端末３３に送る。また、ユーザは、無線端末３３に通信先のレピータのコールサインと通信先の無線端末３３のコールサインとを入力する。なお、通信先が自己が属すゾーンネットワーク１１の外の場合には、相手先レピータのコールサインとして、自ゾーンネットワーク１１のＧＷサーバ４１のコールサインを設定する。
【００５３】
無線端末３３は、通信先のレピータのコールサイン、通信先の無線端末３３のコールサイン、自レピータのコールサイン、自己のコールサインとを含む、無線ヘッダから無線ヘッダを生成し、カプセル化したイーサネット（登録商標）パケットに付加して、図７に示すような無線パケットを生成し、アマチュア無線で送信する。
この無線パケットは、同一エリアネットワーク２１の端末系レピータ３１に受信される。
【００５４】
端末系レピータ３１は、無線ヘッダの相手先レピータが自己であれば、それをアマチュア無線で再送信し、他レピータであれば、幹線系中継器３２に転送して幹線ＭＬに送出する。
【００５５】
このパケットの最終転送先が同一のゾーンネットワーク１１内の場合、このパケットは該当するエリアレピータ３１に転送され、さらに、無線端末３３に無線送信され、無線ヘッダが除去されて、ＩＰデバイス３４に提供される。
【００５６】
一方、このパケットの最終転送先が他のゾーンネットワーク１１の場合、このパケットは無線ヘッダに従って、ゾーンレピータ３１を介してＧＷサーバ４１に到達する。
ＧＷサーバ４１を構成するＩＰ管理サーバ４１１は、図９に示す処理を開始し、まず、イーサネット（登録商標）パケットを取り出す（ステップＳ２１）。
【００５７】
続いて、イーサネット（登録商標）パケットの転送先のＩＰアドレスがグローバルＩＰアドレスであるかローカルＩＰアドレスであるかを判別する（ステップＳ２２）。
転送先のＩＰアドレスがグローバルアドレスである場合、パケットをインターネット形式として（ステップＳ２３）、ルータ４１３を介してパケットをインターネットＩＮ上に送出する（ステップＳ２４）。以後は、一般的なインターネットのパケット処理となる。
【００５８】
一方、転送先のＩＰアドレスがローカルアドレスである場合、即ち、イントラネット内の通信である場合、受信したパケットを、受信したパケット（無線ヘッダ＋データ）をカプセル化し、これに、相手先アドレスとして最終転送先のＩＰデバイスを含むゾーンネットワーク１１のＧＷサーバ４１のグローバルＩＰアドレスを設定し、送信元アドレスとして自己のグローバルＩＰアドレスを設定した通信ヘッダを付して、ＶＰＮ（Virtual Private Network)形式の通信パケットを生成し（ステップＳ２５）、ルータ４１３を介してパケットをインターネットＩＮ上に送出する（ステップＳ２４）。なお、受信パケットをカプセル化する際、該受信パケットを予め定められたアルゴリズムで暗号化してもよい。
【００５９】
なお、制御部３１１が、無線ヘッダの相手先レピータコールサインを、送信局コールサインで特定される無線端末３３に対応する端末系レピータ３１のコールサインに、送り元レピータコールサインを相手ゾーンネットワーク１１のＧＷサーバ４１のコールサインにそれぞれ書き換える。この書き換えにより、相手先の無線端末３３が返信を返す際に、相手先と送り元とを単純に入れ替えるだけで、送信が行えるようになり、便利である。
【００６０】
このパケットは、インターネットＩＮ上を伝送され、送信先のゾーンネットワーク１１のルータ４１３に受信され、ＩＰ管理サーバ４１１に転送される。
【００６１】
ＩＰ管理サーバ４１１は、図１０の処理を開始し、ペイロード部分のパケットがＶＰＮ形式であるか否かを判別し（ステップＳ３１）、ＶＰＮ形式であれば、平文に形式を直し（ステップＳ３２）、ゾーンレピータ３１に送出する（ステップＳ３３）。このパケットは、無線ヘッダに従って、相手先レピータ３１から転送先の無線端末３３に送信される。無線端末３３は、受信したパケットから無線ヘッダを除去し、そのまま処理して音声を出力したり、ローカルＩＰアドレスからＩＰデバイス３４を特定して、そのＩＰデバイス３４にデータを転送する。
このようにして、アマチュア無線を利用したパケット通信が可能となる。
【００６２】
以上の動作を、具体例に基づいて説明する。
１）まず、エリア１の無線端末３３１がエリア４の無線端末３３４に接続されているＩＰデバイス３４のうちの装置ａａａａ（３４４）のローカルＩＰアドレスを問い合わせる動作を説明する。
【００６３】
この場合、無線端末３３１は、ゾーンネットワーク１１ＡのＧＷサーバ４１Ａに、ＩＰデバイス３４４のローカルＩＰアドレスを問い合わせることになる。
【００６４】
ユーザは、ａ）送信先レピータのコールサインとして、ＧＷサーバ４１ＡのコールサインであるＪＰ１１ＴＴＧ、ｂ）送信元レピータのコールサインとしてエリア１の端末系レピータ３１１のコールサインＪＰ１１ＹＹ、ｃ）送信局のドメイン（コールサインと接続されているＩＰデバイスを特定する情報機器として、無線端末３３４のコールサインであるＪＰ１１ＷＷＢとＩＰデバイス３４４の名称）、ｄ）自局コールサインとして無線端末３３１のコールサインＪＰ１１ＱＱＡを入力する。なお、他の情報を入力して、無線端末３３１で適宜変換してこれらの情報を得るようにしてもよい。最後に、ユーザは、ＩＰアドレスの問い合わせを入力部より入力指示する。
【００６５】
この指示に応答して、無線端末３３１は、図１１（ａ）に示すようにな、入力情報に基づいた無線ヘッダを備えるＩＰアドレス問合わせパケットを生成して、端末系レピータ３１１に送信する。即ち、ａ）送信先レピータのコールサインとして、同一ゾーンＡのＧＷサーバ４１ＡのコールサインであるＪＰ１１ＴＴＧ、ｂ）送信元レピータのコールサインとしてエリア１の端末系レピータ３１１のコールサインＪＰ１１ＹＹ、ｃ）送信局のコールサインとして、エリア４の無線端末３３４のコールサインＪＰ１１ＷＷＢ、ｄ）自局コールサインとして無線端末３３１のコールサインＪＰ１１ＱＱＡ、を含む無線ヘッダと、ＩＰデバイス３４４のＩＰアドレスの問い合わせであることを示すデータ、とを含む無線パケットを生成して、端末系レピータ３１１に送信する。
【００６６】
端末系レピータ３１１は、この無線パケットを受信し、無線ヘッダに含まれる相手先レピータのコールサイン（上位６文字のＪＰ１１ＴＴ）より、これを幹線系レピータ３２を介して幹線ＭＬに送出する。
【００６７】
この無線パケットは、幹線ＭＬ上を転送され、相手先レピータのコールサイン（上位６文字）により、ゾーンレピータ３１２に到達し、ゾーンレピータ３１２は、相手先レピータコールサインＪＰ１１ＴＴＧ（又は最後の１文字Ｇ）より、無線パケットをＧＷサーバ４１Ａに渡す。
【００６８】
ＧＷサーバ（正確にはＩＰ管理サーバ４１１であるが、理解を容易にするため、以下、単にＧＷサーバと総称する）４１Ａは、無線パケットからイーサネット（登録商標）パケットを取り出し、その内容を判別する。そして、自己のＩＰ管理テーブルを参照し、コールサインＪＰ１１ＷＷＢの無線端末３３４に接続されたＩＰデバイス３４のうちの、名称がａａａａのＩＰデバイス３４４のローカルＩＰアドレス（１０．１１．３８．５５）を求める。
【００６９】
ＧＷサーバ４１Ａは、図１１（ｂ）に示すような返信パケットを生成して、無線端末３３１に送信する。
即ち、ａ）送信先レピータのコールサインとしてエリア１の端末系レピータ３１１のコールサインＪＰ１１ＹＹ、ｂ）送信元レピータのコールサインとして、自己のコールサインであるＪＰ１１ＴＴＧ、ｃ）送信局コールサインとして無線端末３３１のコールサインＪＰ１１ＱＱＡ、ｄ）自局のコールサインとして、ＧＷサーバ４１ＡのコールサインＪＰ１１ＴＴＧ、を含む無線ヘッダと、ＩＰデバイス３４４のローカルＩＰアドレスをイーサネット（登録商標）データとして含む、無線パケットを生成し、端末系レピータ３１２に送信する。
【００７０】
端末系レピータ３１２は、無線ヘッダに含まれる相手先レピータのコールサインより、これを幹線系レピータ３２を介して幹線ＭＬに送出する。この無線パケットは、幹線ＭＬを転送され、相手先レピータのコールサインにより、端末系レピータ３１１に到達し、端末系レピータ３１１は、これをアマチュア無線で送信する。
【００７１】
無線端末３３１は、受信したパケットから無線ヘッダを除去し、残りのイーサネット（登録商標）パケットをこのＩＰアドレスを必要とするＩＰデバイス３４に提供する。
【００７２】
２）次に、エリア１の無線端末３３１に接続されているＩＰデバイス３４１から、エリア４の無線端末３３４に接続されているＩＰデバイス３４４にインターネットを介してデータを送信する動作を説明する。
【００７３】
ＩＰデバイス（例えば、パーソナルコンピュータ）は、送信先アドレスとして、エリア４のＩＰデバイス３４４のローカルＩＰアドレス、送信元のアドレスとして、自己（ＩＰデバイス３４１）のローカルＩＰアドレスを指定して、送信対象データを含むエーサネットパケットを生成する。
【００７４】
ユーザは、無線端末３３１に、ａ）送信先レピータのコールサインとして、ＧＷサーバ４１ＡのコールサインであるＪＰ１１ＴＴＧ、ｂ）送信元レピータのコールサインとしてエリア１の端末系レピータ３１１のコールサインＪＰ１１ＹＹ、ｃ）送信局のコールサインとして、無線端末３３４のコールサインであるＪＰ１１ＷＷＢ、ｄ）自局コールサインとして無線端末３３１のコールサインＪＰ１１ＱＱＡを入力する。なお、他の情報を入力して、無線端末３３１で適宜変換してこれらの情報を得るようにしてもよい。最後に、ユーザは、データ通信を指示する。
【００７５】
この指示に応答して、無線端末３３１は、図１２（ａ）に示すように、無線ヘッダを備える無線パケットを生成して、端末系レピータ３１１に送信する。
即ち、ａ）送信先レピータのコールサインとして、ＧＷサーバ４１ＡのコールサインであるＪＰ１１ＴＴＧ、ｂ）送信元レピータのコールサインとしてエリア１の端末系レピータ３１１のコールサインＪＰ１１ＹＹ、ｃ）送信局のコールサインとして、エリア４の無線端末３３４のコールサインＪＰ１１ＷＷＢ、ｄ）自局コールサインとして無線端末３３１のコールサインＪＰ１１ＱＱＡを含む無線ヘッダと、送信先ＩＰアドレスとしてＩＰデバイス３４４のローカルＩＰアドレス、送信元ＩＰアドレスとしてＩＰデバイス３４１のローカルＩＰアドレスと、送信データを含むイーサネット（登録商標）パケットと、を含む無線パケットを生成して、端末系レピータ３１１に送信する。
【００７６】
端末系レピータ３１１は、無線ヘッダに含まれる相手先レピータのコールサインより、これを幹線系レピータ３２を介して幹線ＭＬに送出する。
このパケットは、幹線ＭＬを転送され、相手先レピータのコールサイン（上６文字）により、ゾーンレピータ３１２に到達し、ゾーンレピータ３１２は、コールサインの最後の１文字より、パケットをＧＷサーバ４１Ａに渡す。
【００７７】
ＧＷサーバ４１Ａは、イーサネット（登録商標）パケットに含まれる送信先のＩＰアドレスがローカルＩＰアドレスであることより、受信したパケットをカプセル化してＶＰＮ化する。
【００７８】
図１２（ｂ）に示すように、この際、送信先レピータコールサインを、最終送信先のエリア４の端末系レピータ３１４のコールサインＪＰ１１ＳＳに変更し、送信元レピータコールサインを、ゾーンＢのＧＷサーバ４１ＢのコールサインＪＰ１１ＶＶＧに書き換える。
【００７９】
そして、カプセル化された図１２（ｂ）に示す無線パケットに、送信先ＩＰアドレスとして、ゾーンレピータ３１３のグローバルＩＰアドレス、送信元ＩＰアドレスとして、ゾーンレピータ３１２のグローバルＩＰアドレスを含む通信ヘッダを付して、図１２（ｃ）の通信パケットを生成し、インターネットＩＮ上に出力する。
【００８０】
このパケットは、インターネットＩＮ上を転送され、ゾーンＢのＧＷサーバ４１Ｂに受信される。
【００８１】
ＧＷサーバ４１Ｂは、ヘッダを除去し、ＰＶＮを解いて、図１２（ｂ）に示すパケットを再生し、これをゾーンレピータ３１３を介して、ゾーンＢの幹線ＭＬに出力する。この無線パケットは、幹線ＭＬ上を転送され、端末系レピータ３１４に至り、無線送信され、無線端末３３４に受信される。
【００８２】
無線端末３３４は、受信したパケットから無線ヘッダを除去して、送信先ローカルＩＰアドレスが指定するＩＰデバイス３４である装置ａａａ３４４にこれを提供する。
【００８３】
このようにして、ＩＰデバイス３４１と３４３との間で、インターネットを介したデータ通信が可能となる。
なお、無線端末３３４がこのようにして、無線端末３３１に返信を返す場合には、無線ヘッダの相手先と送り元とを逆にするだけでよい。即ち、相手先レピータコールサインをＪＰ１１ＶＶＧ、送り元レピータコールサインをＪＰ１１ＳＳとし、相手局コールサインをＡＰ１１ＱＱＡ、自局コールサインをＪＰ１１ＷＷＢとする。
【００８４】
３）次に、同一ゾーン内のエリア１のＩＰデバイス３４１から、エリア２の無線端末３３２に接続されているＩＰデバイス３４２にデータを送信する動作を説明する。
【００８５】
ＩＰデバイス３４１（例えば、パーソナルコンピュータ）は、送信先アドレスとして、ＩＰデバイス３４２のローカルＩＰアドレス、送信元のアドレスとして、ＩＰデバイス３４１のローカルＩＰアドレスを指定して、送信対象データを含むエーサネットパケットを生成する。なお、ＩＰデバイス３４２のローカルＩＰアドレスは前述のように、必要に応じて、適宜ＧＷサーバ４１Ａに問い合わせて取得する。
【００８６】
ユーザは、ａ）送信先レピータのコールサインとして、端末系レピータ３１２のコールサインであるＪＰ１１ＴＴ、ｂ）送信元レピータのコールサインとしてエリア１の端末系レピータ３１１のコールサインＪＰ１１ＹＹ、ｃ）送信局のコールサインとして、無線端末３３２のコールサインであるＪＦ１ＪＳＣ、ｄ）自局コールサインとして無線端末３３１のコールサインＪＰ１１ＱＱＡを入力する。
【００８７】
この指示に応答して、無線端末３３１は、図１３に示すように、無線ヘッダを備える無線パケットを生成して、端末系レピータ３１１に送信する。端末系レピータ３１１は、無線ヘッダに含まれる相手先レピータのコールサインより、これを幹線系レピータ３２を介して幹線ＭＬに送出する。このパケットは、幹線ＭＬを転送され、相手先レピータのコールサインにより、端末系レピータ３１２に到達する。端末系レピータ３１２は、送信先レピータコールサインから、この無線パケットを取り込み、無線送信する。無線端末３３２は、送信されたパケットの無線ヘッダに含まれる送信局コールサインが自己のコールサインなので、これを受信し、受信したパケットから無線ヘッダを除去して、ローカルＩＰアドレスが指定するＩＰデバイス３４２に、これを提供する。このようにして、ゾーンネットワーク１１内でのデータ通信も可能である。
【００８８】
４）エリア１の無線端末３３１に接続されているＩＰデバイス３４１から、イントラネット外のＵＲＬにアクセスする動作を説明する。
【００８９】
ＩＰデバイス（例えば、パーソナルコンピュータ）は、送信先アドレスとして、任意のグローバルＩＰアドレスを指定し、送信元のアドレスとして、ＩＰデバイス３４１のローカルＩＰアドレスを指定して、送信対象データを含むエーサネットパケットを生成する。なお、ＩＰアドレスはＤＮＳへの問い合わせにより適宜取得する。
【００９０】
ユーザは、ａ）送信先レピータのコールサインとして、ＧＷサーバ４１ＡのコールサインであるＪＰ１１ＴＴＧ、ｂ）送信元レピータのコールサインとしてエリア１の端末系レピータ３１１のコールサインＪＰ１１ＹＹ、ｃ）送信局のコールサインとして、ＧＷサーバ４１ＡのコールサインであるＪＰ１１ＴＴＧ、ｄ）自局コールサインとして無線端末３３１のコールサインＪＰ１１ＱＱを入力する。なお、他の情報を入力して、無線端末３３１で適宜変換してこれらの情報を得るようにしてもよい。最後に、ユーザは、ＩＰアドレスの問い合わせを入力指示する。
【００９１】
この指示に応答して、無線端末３３１は、図１４に示すように、無線ヘッダを備える無線パケットを生成して、端末系レピータ３１１に送信する。端末系レピータ３１１は、無線ヘッダに含まれる相手先レピータのコールサインより、これを幹線系中継器３２を介して幹線ＭＬに送出する。このパケットは、幹線ＭＬを転送され、相手先レピータのコールサイン（上位６文字）により、ゾーンレピータ３１２に到達し、ゾーンレピータ３１２は、相手先レピータのコールサインの最後の１文字より、パケットをＧＷサーバ４１Ａに渡す。ＧＷサーバ４１Ａは、イーサネット（登録商標）パケットに含まれる送信先のＩＰアドレスがグローバルＩＰアドレスであることより、無線ヘッダを除去し、インターネット形式で、受信したパケットをインターネットＩＮ上に出力する。このようにして、ＩＰデバイス３４１とインターネットＩＮ上の任意のデバイスとの通信が可能となる。
【００９２】
なお、上述の説明においては、図９に示すように、ＧＷサーバ４１は、ゾーンレピータ３１からパケットを受信した場合に、イーサネット（登録商標）パケット内の宛先ＩＰアドレスから、パケットの送信先がイントラネット内（内部ネットワーク内）であるか否かを判別する。宛先を判別する手法はこれに限定されず、例えば、無線ヘッダの送信先コールサインからこれを判別することも可能である。例えば、図１５に示すように、受信パケットの送信局コールサインが、他ゾーンネットワーク１１の無線端末３３であるか否かを、例えば、ＩＰ管理テーブルに登録されているか否かにより判別し（ステップＳ２２Ａ）、他ゾーンネットワーク１１の無線端末３３であれば、パケットをＶＰＮ化し（ステップＳ２５）、そうでなければ、インターネット形式とする（ステップＳ２３）とする、ことも可能である。
その他、送信先や送信ルートを決定する手法自体は任意である。
【００９３】
このような構成においては、新たなエリアネットワーク２１やゾーンネットワーク１１が設定されたためにイントラネット全体としてＩＰ空間を拡大したり、各エリアネットワーク２１やゾーンネットワーク１１でローカルＩＰ空間の拡張する必要が生ずることがある。この場合、全体としての整合性を維持しつつ、ローカルＩＰ空間を拡張する必要がある。このため、イントラネット全体を管理する管理専用のサーバを配置することも可能であるが、ハードウエア量が増加してしまう。
【００９４】
そこで、この実施の形態では図１６〜図１９に示すようにして、整合性を確保する。
図１６は、ＧＷサーバを順次追加する時のＩＰ管理テーブル更新手順の全体像を示す。また、図１７〜図１９は、各ＧＷサーバ４１の個別の動作を示す。
図１６は、ＧＷサーバを順次追加する時のＩＰ管理テーブル更新手順の全体像を示す。
【００９５】
まず、インターネットＩＮに１又は複数台のＧＷサーバ４１が接続されている場合を想定する。
【００９６】
ここで、新たにゾーンネットワーク１１を形成する場合、新たなゾーンネットワーク１１のＧＷサーバ４１のＩＰ管理サーバ４１１は、既存のＧＷサーバ４１のいずれかにＩＰ管理テーブル提供を要求するコマンドを送信し（ステップＳ１０１）、応答を待機する（ステップＳ１０２）。この問い合わせを受信した既存のＧＷサーバ４１は、自己の保有するＩＰ管理テーブルを要求元に送信する（ステップＳ１１１）。
【００９７】
新ゾーンネットワーク１１のＧＷサーバ４１のＩＰ管理サーバ４１１は、提供されたＩＰ管理テーブルを受信及び補助記憶部４２３に格納し（ステップＳ１０３）、このＩＰ管理テーブルに登録されているローカルアドレスを避けて、必要数（ユーザが指定する数）のローカルアドレス）を確保する（ステップＳ１０４）。ユーザは、確保したアドレスを各ＩＰデバイスに割り当ててネットワークを構築し、構築したネットワークの情報をＩＰ管理テーブルに追加する（ステップＳ１０５）。
【００９８】
ＩＰ管理テーブルの更新が完了すると、ＩＰ管理サーバ４１１は、管理者にＩＰ管理テーブルの送信許可を求める。利用者が承認すると、ＩＰ管理サーバ４１１は、この更新されたＩＰ管理テーブルを他の全てのＧＷサーバ４１に送信する（ステップＳ１０６）。各ＧＷサーバ４１は、更新済みのＩＰ管理テーブルを受信すると、それを既存のＩＰ管理テーブルに上書きする（ステップＳ１２１）。
【００９９】
このような構成とすることにより、全体を管理するシステムを設けなくても、矛盾無く、ローカルアドレスを確保できる。なお、どのようなルールでローカルアドレスを確保するかを、ＩＰ管理テーブル自体に定義しておき、既存のＧＷサーバからＩＰ管理テーブルを受信した新規ＧＷサーバが、このルールに従って、ＩＰアドレスを確保することが有効である。
【０１００】
なお、この発明は上記実施の形態に限定されず、種々の変形及び応用が可能である。
【０１０１】
また、上記実施の形態で例示したシステム構成、ハードウエア構成、動作等は、実質的に同一の機能を実現できるならば、任意に変更可能である。
【０１０２】
また、コンピュータに上記動作のいずれかを実行させるためのプログラムを記録媒体に記録して配布したり、ネットワークで配信したりしてもよい。このコンピュータプログラムは、コンピュータの記録媒体に記録され、インストールされる。
【図面の簡単な説明】
【０１０３】
【図１】この発明の実施の形態に係るネットワークシステムの構成図である。
【図２】コールサインの割り振りの例を示す図である。
【図３】端末系レピータ及び無線端末の構成を示す図である。
【図４】ＧＷサーバの構成を示す図である。
【図５】ＩＰ管理サーバの構成の例を示す図である。
【図６】ドメイン管理テーブルの例を示す図である。
【図７】図１のネットワークシステムにおいて送信されるパケットのフォーマットの例を示す図である。
【図８】ＩＰアドレス取得処理を示すフローチャートである。
【図９】ＩＰアドレスを用いた通信処理を示すフローチャートである。
【図１０】ＩＰ管理サーバによるパケットの送信処理を示すフローチャートである。
【図１１】無線パケットの構成を示す図であり、（ａ）ＩＰアドレス問い合わせ用のパケットの構成例、（ｂ）はその応答のパケットの構成例である。
【図１２】イントラネット内でインターネットを介して通信する場合の、（ａ）無線パケットの構成例、（ｂ）ＧＷサーバで書き換えられた無線パケットの構成例、（ｃ）インターネット上に出力されるパケットの構成例である。
【図１３】同一ゾーンネットワーク内で通信を行う場合の無線パケットの構成を示す図である。
【図１４】イントラネット外と通信を行う場合の無線パケットの構成を示す図である。
【図１５】無線パケットをＶＰＴ化するか否かを判別する手法の変形例を示す図であり、図９のフローチャートの変形例である。
【図１６】ＩＰ管理テーブル更新手順の全体像を示す図である。
【図１７】ＩＰ空間拡張・設定処理を示すフローチャートである。
【図１８】ＩＰテーブルの問い合わせ及び送信処理を示すフローチャートである。
【図１９】更新済ＩＰテーブルの受信及び格納処理を示すフローチャートである。
【符号の説明】
【０１０４】
１  ネットワークシステム
１１  ゾーンネットワーク（内部ネットワーク）
２１  エリアネットワーク
３１  端末系レピータ
３２  幹線系中継器
３３  無線端末
３４  ＩＰデバイス
４１  ＧＷサーバ
４１１  ＩＰ管理サーバ
４１３  ルータ
【図１】
2006108823.tif 000003
【図２】
2006108823.tif 000004
【図３】
2006108823.tif 000005
【図４】
2006108823.tif 000006
【図５】
2006108823.tif 000007
【図６】
2006108823.tif 000008
【図７】
2006108823.tif 000009
【図８】
2006108823.tif 000010
【図９】
2006108823.tif 000011
【図１０】
2006108823.tif 000012
【図１１】
2006108823.tif 000013
【図１２】
2006108823.tif 000014
【図１３】
2006108823.tif 000015
【図１４】
2006108823.tif 000016
【図１５】
2006108823.tif 000017
【図１６】
2006108823.tif 000018
【図１７】
2006108823.tif 000019
【図１８】
2006108823.tif 000020
【図１９】
2006108823.tif 000021